(57)【要約】【課題】カードを分離可能に有し、互いに対応づけられた第１及び第２のシートが表示されてなる構成において、カードを分離する前の状態において第１のコードを視認不可能としながらも第２のコードを視認可能な状態とし、第１のコードと第２のコードとのマッチングミスを回避することができ、かつ、カードを不正に分離しにくくする。【解決手段】シート部１０，２０，３０をＺ状に折り畳んで互いに貼着し、互いに対応づけられたＰＩＮコード２１及びＰＯＳコード２２を表示した構成において、シート部２０が、カード部２４を有するとともに、カード部２４のシート部３０との貼着面にＰＩＮコード２１及びＰＯＳコード２２が表示され、シート部３０が、シート部２０に貼着された状態にてＰＯＳコード２２に対向する領域に孔部３１を有し、シート部１０，２０が剥離可能に貼着され、カード部２４が、シート部２０，３０から分離可能に構成されている。【選択図】図１
2014218025.tif 000002
【特許請求の範囲】
【請求項１】
第１、第２及び第３のシート部がこの順で連接し、前記第２のシート部が前記第１のシート部と前記第３のシート部とに挟まれるように折り畳まれて前記第１のシート部と前記第２のシート部、前記第２のシート部と前記第３のシート部とがそれぞれ貼着され、互いに対応づけられた第１及び第２のコードが表示されてなるカード組み込みユニットであって、
前記第２のシート部は、カード部を有するとともに、前記カード部の前記第３のシート部との貼着面に前記第１及び第２のコードが表示され、
前記第３のシート部は、前記第２のシート部に貼着された状態にて前記第２のコードに対向する領域に孔部を有し、
前記第１のシート部と前記第３のシート部のうち一方のシート部は、前記カードを表出させるための開封構造を有し、
前記カード部は、前記第１のシート部と前記第３のシート部のうち他方のシート部、及び前記第２のシート部から分離可能に構成されているカード組み込みユニット。
【請求項２】
請求項１に記載のカード組み込みユニットにおいて、
前記開封構造は、前記一方のシート部が、前記第２のシートと剥離可能に貼着されることにより構成されるカード組み込みユニット。
【請求項３】
請求項１に記載のカード組み込みユニットにおいて、
前記一方のシート部は、前記第２のシート部との連接辺とは反対側の端辺に沿う領域にて前記第２のシートと貼着され、
前記開封構造は、前記一方のシート部の前記第２のシート部と貼着されていない領域に形成された切り離し線であるカード組み込みユニット。
【発明の詳細な説明】
【技術分野】
【０００１】
本発明は、コンピュータネットワーク上の電子店舗にて提供されるサービスの利用代金を、電子取引用プリペイドカードを用いて決済するシステムに用いられる、カード組み込みユニットに関する。
【背景技術】
【０００２】
近年、コンピュータネットワーク上の電子店舗における買物を、プリペイドカードを用いて利用可能とするシステムが実用化されており、例えば、特許文献１に開示されている。このようなシステムにおいては、プリペイドカードにＩＤ及びこれに対応づけられたＰＯＳコードが表示されており、プリペイドカードが購入される際、プリペイドカードに表示されたＰＯＳコードがＰＯＳレジにて読み取られることによってプリペイドカードが使用可能な状態となる。その後、プリペイドカードを購入した利用者は、プリペイドカードに表示されたＩＤを用いて、電子店舗にて買物を行うことになる。
【０００３】
ここで、上述したようなプリペイドカードを用いたシステムにおいては、ＩＤの不正使用が懸念される。そこで、不正使用を防止するために、プリペイドカードに表示されたＰＩＮコード上にスクラッチ層を設ける技術が考えられており、例えば、特許文献２に開示されている。この技術を用いれば、プリペイドカードが購入される前の状態においては、ＰＩＮコードが隠蔽されていることにより、ＰＩＮコードを用いた不正使用されることが回避される。
【０００４】
ところで、上述したプリペイドカードは、実店舗にて販売される際、台紙に分離可能に一体化して保持されることが好ましい。ここで、台紙上にカードを剥離可能に貼着し、この台紙にカード番号を表示する技術が、例えば、特許文献３に開示されている。この技術を用いれば、カードに対応する情報が表示された台紙にカードを分離可能に保持することができる。
【先行技術文献】
【特許文献】
【０００５】
【特許文献１】特開平１１−２０３５６０号公報
【特許文献２】特表２０１０−５３１０２１号公報
【特許文献３】特開平１１−１１０４９４号公報
【発明の概要】
【発明が解決しようとする課題】
【０００６】
しかしながら、特許文献３に開示されたもののように、カードに対応する情報が表示された台紙に、カードが剥離可能に貼着された状態では、カードに表示されたＰＩＮコード等の識別コードが隠蔽されておらず、識別コードを隠蔽するためには、特許文献２に開示されたもののように識別コード上にスクラッチ層を設けるか、あるいは、カードの台紙との貼着面に識別コードを表示する必要があるが、カードに表示される識別コードと、台紙に表示されるこれに対応するコードとを別々に印刷した場合、これらのコードのマッチングミスが生じる虞れがある。また、カードの台紙との貼着面に識別コードを表示した場合、カードが台紙から不正に剥離されて識別コードが不正利用されてしまう虞れもある。
【０００７】
本発明は、上述したような従来の技術が有する問題点に鑑みてなされたものであって、カードを分離可能に有し、互いに対応づけられた第１及び第２のシートが表示されてなるカード組み込みユニットにおいて、カードを分離する前の状態において第１のコードを視認不可能としながらも第２のコードを視認可能な状態とすることができるとともに、第１のコードと第２のコードとのマッチングミスを回避することができ、かつ、カードを不正に分離しにくくすることができるカード組み込みユニットを提供することを目的とする。
【課題を解決するための手段】
【０００８】
上記目的を達成するために本発明は、
第１、第２及び第３のシート部がこの順で連接し、前記第２のシート部が前記第１のシート部と前記第３のシート部とに挟まれるように折り畳まれて前記第１のシート部と前記第２のシート部、前記第２のシート部と前記第３のシート部とがそれぞれ貼着され、互いに対応づけられた第１及び第２のコードが表示されてなるカード組み込みユニットであって、
前記第２のシート部は、カード部を有するとともに、前記カード部の前記第３のシート部との貼着面に前記第１及び第２のコードが表示され、
前記第３のシート部は、前記第２のシート部に貼着された状態にて前記第２のコードに対向する領域に孔部を有し、
前記第１のシート部と前記第３のシート部のうち一方のシート部は、前記カードを表出させるための開封構造を有し、
前記カード部は、前記第１のシート部と前記第３のシート部のうち他方のシート部、及び前記第２のシート部から分離可能に構成されている。
【０００９】
上記のように構成された本発明においては、カード部を有する第２のシート部の表裏に第１及び第３のシート部が貼着されているため、カード部が第２のシート部から不正に分離しにくくなっているとともに、カード部の第３のシート部との貼着面に表示された第１のコードが視認不可能な状態となっている。また、第２のコードは、第２のシート部の第３のシート部との貼着面に表示されているが、第３のシート部の第２のコードに対向する領域に孔部が設けられているため、この孔部を介して視認可能な状態となっている。第１のシート部と第３のシート部のうち一方のシート部に備えられた開封構造によってこのカード組み込みユニットが開封されると、カード部が表出し、表出したカード部が、第１のシート部と第３のシート部のうち他方のシート部、及び第２のシート部から分離されると、カード部の第３のシートとの貼着面に表示された第１のコードが視認可能な状態となる。ここで、第１のコードと第２のコードとは、共に第２のシートの第３のシートとの貼着面に表示されているため、これらを同時に印字することができ、マッチングミスが回避される。
【００１０】
このような構成としては、例えば、
前記開封構造を、前記一方のシート部が、前記第２のシートと剥離可能に貼着されることにより構成することや、
前記一方のシート部が、前記第２のシート部との連接辺とは反対側の端辺に沿う領域にて前記第２のシートと貼着され、
前記開封構造は、前記一方のシート部の前記第２のシート部と貼着されていない領域に形成された切り離し線である構成とすることが考えられる。
【発明の効果】
【００１１】
本発明によれば、互いに対応づけられた第１及び第２のコードが、共に第２のシートの第３のシートとの貼着面に表示されており、カード組み込みユニットが開封されていない状態においては、第１のコードが視認不可能となっているとともに、第２のコードが第３のシートに設けられた孔部を介して視認可能となっているため、カード部が分離される前の状態において、カード部に表示された第１のコードを視認不可能としながらも第２のコードを視認可能な状態とすることができるとともに、第１のコードと第２のコードとのマッチングミスを回避することができる。また、第１のシート部と第３のシート部のうち一方のシート部に備えられた開封構造によってこのカード組み込みユニットが開封されなければカード部が表出しないため、カード部を不正に分離しにくくすることができる。
【図面の簡単な説明】
【００１２】
【図１】本発明のカード組み込みユニットの第１の実施の形態を示す図であり、（ａ）は見開いた状態の表面図、（ｂ）は見開いた状態の裏面図、（ｃ）は折り畳んだ状態の表面図、（ｄ）は折り畳んだ状態の裏面図、（ｅ）は（ｄ）に示したＡ−Ａ’断面図である。
【図２】図１に示したカード組み込みユニットが使用される環境を示す図である。
【図３】図２に示した環境における図１に示したカード組み込みユニットの使用方法を説明するためのフローチャートである。
【図４】図１に示したカード組み込みユニットの使用状態を示す図である。
【図５】本発明のカード組込みユニットの第２の実施の形態を示す図であり、（ａ）は全体を見開いた状態の表面図、（ｂ）は全体を見開いた状態の裏面図、（ｃ）は全体を折り畳んだ状態の表面図、（ｄ）は全体を折り畳んだ状態の裏面図、（ｅ）は（ｄ）に示したＡ−Ａ’断面図である。
【図６】本発明のカード組み込みユニットの第３の実施の形態を示す図であり、（ａ）は見開いた状態の表面図、（ｂ）は見開いた状態の裏面図、（ｃ）は折り畳んだ状態の表面図、（ｄ）は折り畳んだ状態の裏面図、（ｅ）は（ｄ）に示したＡ−Ａ’断面図である。
【図７】図６に示したカード組み込みユニットの使用状態を示す図である。
【発明を実施するための形態】
【００１３】
以下に、本発明の実施の形態について図面を参照して説明する。
【００１４】
（第１の実施の形態）
図１は、本発明のカード組み込みユニットの第１の実施の形態を示す図であり、（ａ）は見開いた状態の表面図、（ｂ）は見開いた状態の裏面図、（ｃ）は折り畳んだ状態の表面図、（ｄ）は折り畳んだ状態の裏面図、（ｅ）は（ｄ）に示したＡ−Ａ’断面図である。
【００１５】
本形態のカード組み込みユニット１は図１に示すように、第１のシート部１０と第２のシート部２０と第３のシート部３０とがこの順で連接辺となる折り部４１，４２を介して折り畳み可能に連接して構成されている。これら３つのシート部１０，２０，３０は、その形状が互いに同一のものとなっている。
【００１６】
シート部１０は、折り部４１側の端辺に沿う領域に表裏貫通した孔部１３ａが形成されている。また、シート部１０の折り部４１とは反対側の角部に切り欠き１１が形成されているとともに、その表面には、カード組み込みユニット１が折り畳まれてシート部１０がシート部２０に貼着された後にシート部１０をシート部２０から剥離する際に切り欠き１１を剥離開始端とする旨を指示する指示情報１２が表示されている。また、シート部１０の裏面には、通知情報１４が表示されている。
【００１７】
シート部２０は、スリット２３が形成されており、このスリット２３によってカード部２４が分離可能に区画形成されているとともに、シート部１０，２０が折り部４１にて折り畳まれた場合にシート部１０の孔部１３ａに対向する領域に表裏貫通した孔部１３ｂが形成されている。シート部２０のカード部２４となる領域の表面には、第１のコードとなるＰＩＮコード２１と第２のコードとなるＰＯＳコード２２とが表示されている。これらＰＩＮコード２１とＰＯＳコード２２とは、後述するが互いに対応づけられたものとなっている。また、シート部２０の裏面には、カード部２４以外の領域に、カード組み込みユニット１が折り畳まれてシート部２０がシート部３０に貼着された後にカード部２４をシート部３０から剥離する際に剥離開始端の位置を示す指示情報２５が表示されている。
【００１８】
シート部３０は、シート部１０，２０，３０が折り部４１，４２にて折り畳まれた場合にシート部１０，２０の孔部１３ａ，１３ｂに対向する領域に表裏貫通した孔部１３ｃが形成されているとともに、シート部２０，３０が折り部４２にて折り畳まれた場合にＰＯＳコード２２に対向する領域に表裏貫通した孔部３１が形成されている。また、シート部３０の表裏にはそれぞれ通知情報３２ａ，３２ｂが表示されている。
【００１９】
このように構成された３つのシート部１０，２０，３０は、シート部１０の通知情報１４が表示された面がシート部２０に対向し、シート部２０のＰＩＮコード２１及びＰＯＳコード２２が表示された面がシート部３０に対向するように折り部４１，４２にてＺ状に折り畳まれ、擬似接着剤５１及び粘着剤５２によって貼着される。擬似接着剤５１は、シート部１０とシート部２０との互いに対向する面の全面に塗布されており、それにより、シート部１０とシート部２０とは擬似接着剤５１によってその全面にて剥離可能に貼着されている。また、擬似接着剤５１は、シート部２０とシート部３０との対向する面のうちカード部２４及びシート部３０のそれに対向する領域に塗布されており、それにより、シート部２０とシート部３０とは、カード部２４のみが擬似接着剤５１によって剥離可能に貼着されている。すなわち、カード部２４は、シート部２０に形成されたスリット２３とこの擬似接着剤５１によってシート部２０，３０から分離可能に構成されている。なお、擬似接着剤５１は、ＰＩＮコード２１やＰＯＳコード２２を含む情報が印刷される前に塗布されてもよいし、情報が印刷された後に塗布されてもよい。粘着剤５２は、シート部２０とシート部３０との対向する面のうちカード部２４以外の領域及びシート部３０のそれに対向する領域に塗布されており、それにより、シート部２０とシート部３０とは、カード部２４以外の領域が粘着剤５２によって貼着後の剥離が困難に貼着されている。なお、貼着後の剥離困難とは、シート部２０とシート部３０とを人間の手によって剥離した場合に、シート部２０やシート部３０自体が裂かれたり厚み方向に分割されたりする程度に強接着されていることである。このような折り畳み状態においては、ＰＩＮコード２１がシート部３０に覆われて視認不可能な状態となるとともに、ＰＯＳコード２２がシート部３０の孔部３１を介して視認可能な状態となる。
【００２０】
以下に、上記のように構成されたカード組み込みユニット１の使用方法について説明する。
【００２１】
図２は、図１に示したカード組み込みユニット１が使用される環境を示す図であり、図３は、図２に示した環境における図１に示したカード組み込みユニット１の使用方法を説明するためのフローチャートである。
【００２２】
図１に示したカード組み込みユニット１は、図２に示すように、カード組み込みユニット１を用いてサービスを提供するサービス提供サーバ７２と、通信回線７４を介してサービス提供サーバ７２と接続可能なＰＯＳ端末７１及び携帯端末７３とを有してなる環境で使用される。
【００２３】
まず、利用者がカード組み込みユニット１を購入する際、その店舗に設置されたＰＯＳ端末７１においてＰＯＳコード２２が読み取られる（ステップ１）。カード組み込みユニット１は、図１（ｃ），（ｄ）に示したような折り畳まれた形態で販売されるが、ＰＯＳコード２２は、上述したように、カード組み込みユニット１が折り畳まれた状態ではシート部３０の孔部３１を介して視認可能となっているため、ＰＯＳ端末７１にて読み取ることができる。また、カード組み込みユニット１が折り畳まれた状態においては、ＰＩＮコード２１はシート部３０に覆われて視認不可能となっている。
【００２４】
また、カード組み込みユニット１は、シート部１０，２０，３０にて表裏貫通した孔部３ａ〜１３ｃを用いて吊り下げられる等して店舗に陳列されているが、その状態においては、カード部２４を有するシート部２０の表裏にシート部１０，３０が貼着されているため、カード２４がシート部２０から不正に分離しにくくなっている。
【００２５】
カード組み込みユニット１から読み取られたＰＯＳコード２２は、ＰＯＳ端末７１から送信され（ステップ２）、通信回線７４を介してサービス提供サーバ７２にて受信される（ステップ３）。
【００２６】
サービス提供サーバ７２においては、販売されているカード組み込みユニット１のカード部２４に表示されたＰＩＮコード２１とＰＯＳコード２２とがカード組み込みユニット１毎に対応づけて管理されており、ＰＯＳコード２２が受信されると、受信したＰＯＳコード２２について、サービスを利用可能であることを示す利用可能フラグが“１”に設定され、ＯＮ状態となる（ステップ４）。
【００２７】
その後、カード組み込みユニット１を購入した利用者によって、携帯端末７３がサービス提供サーバ７２にアクセスした状態において、カード組み込みユニット１のカード部２４に表示されたＰＩＮコード２１が携帯端末７３に入力されて送信されると（ステップ５）、このＰＩＮコード１１が通信回線７４を介してサービス提供サーバ７２にて受信される（ステップ６）。
【００２８】
図４は、図１に示したカード組み込みユニット１の使用状態を示す図である。
【００２９】
図１に示したカード組み込みユニット１においては、カード部２５を有するシート部２０がシート部１０に剥離可能に貼着されているため、カード組み込みユニット１を購入した利用者は、図４（ａ）に示すように、シート部１０をシート部２０から剥離していくことによってカード組み込みユニット１を開封し、図４（ｂ）に示すようにカード部２４を表出させることができる。この際、利用者は、シート部１０に表示された指示情報１２に従って、切り欠き１１を剥離開始端としてシート部１０をシート部２０から剥離していくことになる。すなわち、本形態における開封構造は、シート部１０，２０が擬似接着剤５１によって剥離可能に貼着されていることによって構成されている。
【００３０】
シート部２０からシート部１０を剥離すると、カード部２４が表出するとともに、シート部１０の裏面に表示された通知情報１４が視認可能な状態となる。
【００３１】
図１に示したカード組み込みユニット１においては、カード部２４がスリット２３によってシート部２０から分離可能に区画形成されているとともに、擬似接着剤５１によってシート部３０から剥離可能となっているため、カード組み込みユニット１を購入した利用者は、カード組み込みユニット１を開封してカード部２４が表出した後、図４（ｃ）に示すように、カード部２４をシート部２０から分離することができる。この際、利用者は、シート部２０に表示された指示情報２５に従って、カード部２４をシート部３０から剥離してシート部２０から分離していくことになる。なお、カード部２４のシート部３０との貼着面のうち、少なくともＰＩＮコード２１やＰＯＳコード２２が表示されていない領域に剥離ニスを塗布し、シート部２０のうちカード部２４のみをシート部３０から剥離しやすくしておくことも考えられる。
【００３２】
すると、図４（ｄ）に示すように、カード部２４のシート部３０との貼着面に表示されたＰＩＮコード２１が視認可能な状態となり、利用者はこのＰＩＮコード２１を携帯端末７３に入力することになる。
【００３３】
また、カード部２４がシート部２０から分離されると、図４（ｅ）に示すように、シート部３０のシート部２０との貼着面に表示された通知情報３２ａが視認可能な状態となる。
【００３４】
サービス提供サーバ７２においては、携帯端末７３から送信されてきたＰＩＮコード２１が受信されると、まず、ＰＩＮコード２１に対応づけられたＰＯＳコードが検索される（ステップ７）。サービス提供サーバ７２においては、上述したように、販売されているカード組み込みユニット１毎に、カード部２４に表示されたＰＯＳコード２２とＰＩＮコード２１とが対応づけて管理されているため、受信したＰＩＮコード２１に対応づけられたＰＯＳコードを検索することができる。
【００３５】
そして、検索されたＰＯＳコードについての利用可能フラグが“１”に設定されてＯＮ状態となっているかが確認される（ステップ８）。カード組み込みユニット１が購入されると、上述したようにそのカード組み込みユニット１のカード部２４に表示されたＰＯＳコード２２がＰＯＳ端末７１にて読み取られ、サービス提供サーバ７２にてそのＰＯＳコード２２についての利用可能フラグが“１”に設定されてＯＮ状態となるため、検索されたＰＯＳコードについての利用可能フラグが“１”に設定されてＯＮ状態となっている場合は、カード組み込みユニット１が正規に購入されたものであることとなり、サービス提供サーバ７２から携帯端末７３にサービスが提供され（ステップ９）、利用者は携帯端末７３においてサービスを利用することになる（ステップ１０）。
【００３６】
また、検索されたＰＯＳコードについての利用可能フラグが“１”に設定されておらずにＯＮ状態となっていない場合は、カード組み込みユニット１が正規に購入されたものではないため、サービスを利用不可能である旨のメッセージがサービス提供サーバ７２から送信される（ステップ１１）。
【００３７】
サービス提供サーバ７２から送信された、サービスを利用不可能である旨のメッセージは通信回線７４を介して携帯端末７３にて受信され、表示出力される（ステップ１２）。
【００３８】
なお、上述した一連の手順はカード組込みユニット１を利用する環境の一例であり、カード組込みユニット１を利用する環境はこれに限定されるものではない。
【００３９】
上述したように、カード部２４を使用可能とするＰＯＳコード２２と、カード部２４を用いて実際にサービスを利用する際に指定されるＰＩＮコード２１とが、共にシート部２０に表示されることにより、ＰＯＳコード２２とＰＩＮコード２１とを同時に印字することができ、これらのマッチングミスを回避することができる。また、このような構成においても、カード部２４がカード組込みユニット１から分離される前の状態においては、ＰＯＳコード２２を視認可能な状態とし、ＰＩＮコード２１を視認不可能な状態とすることができる。
【００４０】
なお、本形態においては、シート部１０とシート部２０とが擬似接着剤５１によってその全面にて剥離可能に貼着されており、シート部２０からシート部１０を剥離することによってカード部２４を表出させ、その後、カード部２４をシート部３０から剥離してシート部２０から分離しているが、シート部２０とシート部３０とをその全面にて剥離可能に貼着し、シート部２０からシート部３０を剥離することによってカード部２４を表出させ、その後、カード部２４をシート部１０から剥離してシート部２０から分離する構成としてもよい。その場合、シート部２０，３０が剥離可能に貼着されていることによって開封構造が構成されることになる。
【００４１】
また、本形態においては、３つのシート部１０，２０，３０の形状が互いに同一のものとなっているが、これらの形状が互いに異なるものであってもよく、シート部１０，２０，３０のそれぞれにおいてＰＩＮコード２１の隠蔽や孔部３１等のために必要な領域が確保できるようにその形状（大きさ、形）を適宜設計することができる。
【００４２】
（第２の実施の形態）
図５は、本発明のカード組込みユニットの第２の実施の形態を示す図であり、（ａ）は全体を見開いた状態の表面図、（ｂ）は全体を見開いた状態の裏面図、（ｃ）は全体を折り畳んだ状態の表面図、（ｄ）は全体を折り畳んだ状態の裏面図、（ｅ）は（ｄ）に示したＡ−Ａ’断面図である。
【００４３】
本形態のカード組込みユニット１０１は図５に示すように、第１の実施の形態に示したものに対して、シート部１２０が、表面片１２０ａと裏面片１２０ｂとが粘着剤１５２によって貼着された２枚構造となっている点が異なるものである。
【００４４】
表面片１２０ａと裏面片１２０ｂとは、折り部１４３を介して連接しており、折り部１４３にて折り畳まれた状態にて互いに対向するように、孔部１１３ｂ−１，１１３ｂ−２及びスリット１２３ａ，１２３ｂがそれぞれ形成されている。このように構成された表面片１２０ａと裏面片１２０ｂとは、ＰＩＮコード１２１及びＰＯＳコード１２２が表示された面が外側となるように折り部１４３にて折り畳まれ、粘着剤１５２によって貼着されてシート部１２０を構成する。
【００４５】
そして、３つのシート部１１０，１２０，１３０が、シート部１１０の通知情報１１４が表示された面がシート部１２０に対向し、シート部１２０のＰＩＮコード１２１及びＰＯＳコード１２２が表示された面がシート部１３０に対向するように折り部１４１，１４２を中心として見開き可能に折り畳まれ、擬似接着剤１５１及び粘着剤１５２によって貼着される。
【００４６】
上記のように構成されたカード組込みユニット１０１においても、第１の実施の形態にて示したものと同様にして使用されることになる。すなわち、カード組込みユニット１０１は、第１の実施の形態にて示したものに対してシート部１２０が表面片１２０ａと裏面片１２０ｂとの２枚構造となっているだけで、その使用方法は第１の実施の形態にて示したものと同様である。
【００４７】
なお、本形態においては、２つのシート部１１０，１３０と、表面片１２０ａと裏面片１２０ｂとが折り畳まれてなるシート部１２０との形状が互いに同一のものとなっているが、これらの形状が互いに異なるものであってもよく、シート部１１０，１２０，１３０のそれぞれにおいてＰＩＮコード１２１の隠蔽や孔部１３１等のために必要な領域が確保できるようにその形状（大きさ、形）を適宜設計することができる。
【００４８】
（第３の実施の形態）
図６は、本発明のカード組み込みユニットの第３の実施の形態を示す図であり、（ａ）は見開いた状態の表面図、（ｂ）は見開いた状態の裏面図、（ｃ）は折り畳んだ状態の表面図、（ｄ）は折り畳んだ状態の裏面図、（ｅ）は（ｄ）に示したＡ−Ａ’断面図である。
【００４９】
本形態のカード組み込みユニット２０１は図６に示すように、第１の実施の形態に示したものに対して、シート部２３０のシート部２２０との連接方向の長さがシート部２１０，２２０よりも短くなっており、カード部２２４を表出させるための開封構造としてシート部２３０に切り離し線となるジッパー部２３３が設けられている点が異なるものである。また、本形態におけるカード部２２４は、スリットの一部にタイ部を有する切り離し線２２３によってシート部３２０から分離可能に区画形成されている。
【００５０】
ジッパー部２３３は、シート部２３０のうち、折り部２４２とは反対側の端辺に沿うように形成されている。
【００５１】
本形態のカード組み込みユニット２０１においても、第１の実施の形態に示したものと同様に、３つのシート部２１０，２２０，２３０が、シート部２１０の通知情報２１４が表示された面がシート部２２０に対向し、シート部２２０のＰＩＮコード２２１及びＰＯＳコード２２２が表示された面がシート部２３０に対向するように折り部２４１，２４２にてＺ状に折り畳まれるが、シート部２１０とシート部２２０とは擬似接着剤２５１によってその全面にて剥離可能に貼着されているものの、シート部２２０とシート部２３０とは、ジッパー部２３３に対して折り部２４２とは反対側の領域、すなわち、シート部２３０の折り部２４２とは反対側の端辺に沿う領域のみにて粘着剤２５２によって貼着後の剥離が困難に貼着されている。
【００５２】
上記のように構成されたカード組み込みユニット２０１においても、第１の実施の形態にて示したものと同様の環境下で同様にして使用されることになる。
【００５３】
図７は、図６に示したカード組み込みユニット２０１の使用状態を示す図である。
【００５４】
図６に示したカード組み込みユニット２０１においては、利用者が店舗にて購入した際は、図６（ｄ）に示したように、ＰＩＮコード２２１がシート部２３０に覆われて視認不可能な状態となっているとともに、ＰＯＳコード２２２がシート部２３０に形成された孔部２３１を介して視認可能な状態となっている。
【００５５】
カード組み込みユニット２０１を購入した利用者は、図７（ａ）に示すように、ジッパー部２３３を破断していくことによってカード組み込みユニット２０１を開封し、図７（ｂ）に示すようにカード部２２４を表出させることができる。なお、シート部２２０とシート部２３０とは、ジッパー部２３３に対して折り部２４２とは反対側の領域のみにて貼着されているため、ジッパー部２３３を破断することにより、シート部２２０，２３０を折り部２４２を中心として見開き、カード部２２４を表出させることができる。このように、本形態における開封構造はジッパー部２３３から構成されている。
【００５６】
そして、カード部２２４が切り離し線２２３によってシート部２２０から分離可能に区画形成されているとともに、擬似接着剤２５１によってシート部２３０から剥離可能となっているため、カード組み込みユニット２０１を購入した利用者は、カード組み込みユニット２０１を開封してカード部２２４が表出した後、図７（ｃ）に示すように、切り離し線２２３を破断することによりカード部２２４をシート部２２０から分離し、シート部２３０からカード部２２４を剥離することができる。
【００５７】
すると、図７（ｄ）に示すように、カード部２２４がカード組み込みユニット２０１から分離され、利用者はこのカード部２２４に表示されたＰＩＮコード２２１を携帯端末７３に入力することになる。
【００５８】
また、カード部２２４がシート部２２０から分離されると、図７（ｅ）に示すように、シート部２１０のシート部２２０との貼着面に表示された通知情報２１４が視認可能な状態となる。
【００５９】
なお、本形態においては、シート部２３０に設けられたジッパー部２３３を破断することによってカード部２２４を表出させ、その後、カード部２２４をシート部２２０から分離するとともにシート部２１０から剥離しているが、シート部２１０にジッパー部を設け、このジッパー部を破断することによってカード部２２４を表出させてもよい。その場合、シート部２２０とシート部２３０とは、少なくともカード部２２４及びこれに対向する領域において剥離可能に貼着されている必要がある。
【００６０】
また、開封構造を構成する切り離し線は、ジッパー部２３３でなく、ミシン線等、シート部２３０を破断できるものであればよい。
【００６１】
また、本形態においては、２つのシート部２１０，２２０の形状が互いに同一のものとなっているが、これらの形状が互いに異なるものであってもよく、シート部２１０，２２０，２３０のそれぞれにおいてＰＩＮコード２２１の隠蔽や孔部２３１等のために必要な領域が確保できるようにその形状（大きさ、形）を適宜設計することができる。
【符号の説明】
【００６２】
１，１０１，２０１    カード組み込みユニット
１０，２０，３０，１１０，１２０，１３０，２１０，２２０，２３０    シート部
１１，１１１    切り欠き
１２，２５，１１２    指示情報
１３ａ〜１３ｃ，３１，１１３ａ，１１３ｂ−１，１１３ｂ−２，１３１，２１３ａ，２１３ｂ，２３１    孔部
１４，３２ａ，３２ｂ，１１４，１３２ａ，１３２ｂ，２１４，２３２ａ，２３２ｂ    通知情報
２１，１２１，２２１    ＰＩＮコード
２２，１２２，２２２    ＰＯＳコード
２３，１２３ａ，１２３ｂ    スリット
２４，１２４，２２４    カード部
４１，４２，１４１〜１４３，２４１，２４２    折り部
５１，１５１，２５１    擬似接着剤
５２，１５２，２５２    粘着剤
７１    ＰＯＳ端末
７２    サービス提供サーバ
７３    携帯端末
７４    通信回線
１２０ａ    表面片
１２０ｂ    裏面片
２３３    ジッパー部
【図１】
2014218025.tif 000003
【図２】
2014218025.tif 000004
【図３】
2014218025.tif 000005
【図４】
2014218025.tif 000006
【図５】
2014218025.tif 000007
【図６】
2014218025.tif 000008
【図７】
2014218025.tif 000009